(57)【要約】      （修正有）【課題】所定のマーケティングキャンペーンを適切に評価する生成装置、生成方法及び生成プログラムを提供する。【解決手段】本生成装置は、取得部と、生成部とを有する。取得部は、位置及び時間に関連付けられたマーケティングキャンペーンに関する情報と、ユーザの位置情報とを取得する。生成部は、マーケティングキャンペーンの位置及び時間に、位置情報及び位置情報が取得された時間が対応するユーザに関する情報に基づいて、マーケティングキャンペーンの評価を示す評価情報を生成する。【選択図】図３
2019032717.tif 000002
【特許請求の範囲】
【請求項１】
位置及び時間に関連付けられたマーケティングキャンペーンに関する情報と、ユーザの位置情報とを取得する取得部と、
前記マーケティングキャンペーンの前記位置及び前記時間に、前記位置情報及び当該位置情報が取得された時間が対応するユーザに関する情報に基づいて、前記マーケティングキャンペーンの評価を示す評価情報を生成する生成部と、
を備えることを特徴とする生成装置。
【請求項２】
位置に関連付けられたマーケティングキャンペーンに関する情報を取得する取得部と、
前記取得部により取得されたマーケティングキャンペーンに関する情報に基づいて前記マーケティングキャンペーンに参加したとみなされたユーザに関する情報を用いて、前記マーケティングキャンペーンの評価を示す評価情報を生成する生成部と、
を備えることを特徴とする生成装置。
【請求項３】
前記取得部は、
前記マーケティングキャンペーンに関連付けられた時間に関する情報を取得し、
前記生成部は、
前記マーケティングキャンペーンの前記時間に対応する時間において、前記マーケティングキャンペーンの前記位置に対応する位置に位置したユーザに関する情報に基づいて、前記評価情報を生成する
ことを特徴とする請求項２に記載の生成装置。
【請求項４】
前記取得部は、
前記マーケティングキャンペーンに関連付けられた期間に関する情報を取得し、
前記生成部は、
前記マーケティングキャンペーンの前記期間内において、前記マーケティングキャンペーンの前記位置に対応する位置に位置したユーザに関する情報に基づいて、前記評価情報を生成する
ことを特徴とする請求項２または請求項３に記載の生成装置。
【請求項５】
前記生成部は、
前記位置から所定の範囲内に位置したユーザを前記マーケティングキャンペーンに参加したとみなされたユーザとして、前記評価情報を生成する
ことを特徴とする請求項２〜４のいずれか１項に記載の生成装置。
【請求項６】
前記生成部は、
前記マーケティングキャンペーンに参加したとみなされたユーザの属性情報に基づいて、前記評価情報を生成する
ことを特徴とする請求項２〜５のいずれか１項に記載の生成装置。
【請求項７】
前記取得部は、
前記マーケティングキャンペーンが対象とするユーザを示すターゲット情報を取得し、
前記生成部は、
前記ターゲット情報と前記属性情報とに基づいて、前記評価情報を生成する
ことを特徴とする請求項６に記載の生成装置。
【請求項８】
前記取得部は、
前記マーケティングキャンペーンに参加したとみなされたユーザの前記マーケティングキャンペーンに参加後の行動情報を取得し、
前記生成部は、
前記行動情報に基づいて、前記評価情報を生成する
ことを特徴とする請求項２〜７のいずれか１項に記載の生成装置。
【請求項９】
前記生成部は、
前記マーケティングキャンペーンに参加後のユーザに期待する行動を示す情報と、前記行動情報とに基づいて、前記評価情報を生成する
ことを特徴とする請求項８に記載の生成装置。
【請求項１０】
前記生成部は、
前記行動情報に前記マーケティングキャンペーンに関する行動が含まれるか否かに基づいて、前記評価情報を生成する
ことを特徴とする請求項８または請求項９に記載の生成装置。
【請求項１１】
前記生成部は、
前記行動情報に前記マーケティングキャンペーンに関する検索行動が含まれるか否かに基づいて、前記評価情報を生成する
ことを特徴とする請求項１０に記載の生成装置。
【請求項１２】
前記生成部は、
前記行動情報に前記マーケティングキャンペーンに関する商品の購入が含まれるか否かに基づいて、前記評価情報を生成する
ことを特徴とする請求項１０または請求項１１に記載の生成装置。
【請求項１３】
前記生成部は、
前記行動情報に前記マーケティングキャンペーンに関するサービスの利用が含まれるか否かに基づいて、前記評価情報を生成する
ことを特徴とする請求項１０〜１２のいずれか１項に記載の生成装置。
【請求項１４】
前記取得部は、
イベントを含む前記マーケティングキャンペーンに関する情報を取得する
ことを特徴とする請求項２〜１３のいずれか１項に記載の生成装置。
【請求項１５】
前記取得部は、
広告の掲示を含む前記マーケティングキャンペーンに関する情報を取得する
ことを特徴とする請求項２〜１４のいずれか１項に記載の生成装置。
【請求項１６】
コンピュータが実行する生成方法であって、
位置及び時間に関連付けられたマーケティングキャンペーンに関する情報と、ユーザの位置情報とを取得する取得工程と、
前記マーケティングキャンペーンの前記位置及び前記時間に、前記位置情報及び当該位置情報が取得された時間が対応するユーザに関する情報に基づいて、前記マーケティングキャンペーンの評価を示す評価情報を生成する生成工程と、
を含むことを特徴とする生成方法。
【請求項１７】
位置及び時間に関連付けられたマーケティングキャンペーンに関する情報と、ユーザの位置情報とを取得する取得手順と、
前記マーケティングキャンペーンの前記位置及び前記時間に、前記位置情報及び当該位置情報が取得された時間が対応するユーザに関する情報に基づいて、前記マーケティングキャンペーンの評価を示す評価情報を生成する生成手順と、
をコンピュータに実行させることを特徴とする生成プログラム。
【発明の詳細な説明】
【技術分野】
【０００１】
本発明は、生成装置、生成方法、及び生成プログラムに関する。
【背景技術】
【０００２】
従来、販売促進やブランド認知等を種々の対象を目的とするマーケティングキャンペーンの評価に関する技術が提供されている。例えば、広告に含まれるクーポンを提示した商品の購入等を行わせることにより、広告に基づく最終的な効果を測定する技術が提供されている。
【先行技術文献】
【特許文献】
【０００３】
【特許文献１】特開２００８−２１３０３号公報
【発明の概要】
【発明が解決しようとする課題】
【０００４】
しかしながら、上記の従来技術では、所定のマーケティングキャンペーンを適切に評価することが難しい場合がある。例えば、クーポンが配信されたユーザが、クーポンを用いずに購入等を行った場合、所定のマーケティングキャンペーンを適切に評価することが難しい。また、例えば、クーポン等が配信されないマーケティングキャンペーン等においては、そのマーケティングキャンペーンを適切に評価することが難しい。
【０００５】
本願は、上記に鑑みてなされたものであって、所定のマーケティングキャンペーンを適切に評価する生成装置、生成方法、及び生成プログラムを提供することを目的とする。
【課題を解決するための手段】
【０００６】
本願に係る生成装置は、位置及び時間に関連付けられたマーケティングキャンペーンに関する情報と、ユーザの位置情報とを取得する取得部と、前記マーケティングキャンペーンの前記位置及び前記時間に、前記位置情報及び当該位置情報が取得された時間が対応するユーザに関する情報に基づいて、前記マーケティングキャンペーンの評価を示す評価情報を生成する生成部とを備えたことを特徴とする。
【発明の効果】
【０００７】
実施形態の一態様によれば、所定のマーケティングキャンペーンを適切に評価することができるという効果を奏する。
【図面の簡単な説明】
【０００８】
【図１】図１は、実施形態に係る生成処理の一例を示す図である。
【図２】図２は、実施形態に係る生成システムの構成例を示す図である。
【図３】図３は、実施形態に係る生成装置の構成例を示す図である。
【図４】図４は、実施形態に係るユーザ情報記憶部の一例を示す図である。
【図５】図５は、実施形態に係る行動情報記憶部の一例を示す図である。
【図６】図６は、実施形態に係る位置情報記憶部の一例を示す図である。
【図７】図７は、実施形態に係るマーケティング情報記憶部の一例を示す図である。
【図８】図８は、実施形態に係る生成処理の一例を示すフローチャートである。
【図９】図９は、生成装置の機能を実現するコンピュータの一例を示すハードウェア構成図である。
【発明を実施するための形態】
【０００９】
以下に、本願に係る生成装置、生成方法、及び生成プログラムを実施するための形態（以下、「実施形態」と呼ぶ）について図面を参照しつつ詳細に説明する。なお、この実施形態により本願に係る生成装置、生成方法、及び生成プログラムが限定されるものではない。また、以下の各実施形態において同一の部位には同一の符号を付し、重複する説明は省略される。
【００１０】
（実施形態）
〔１．生成処理〕
図１を用いて、実施形態に係る生成処理の一例について説明する。図１は、実施形態に係る生成処理の一例を示す図である。図１の例では、Ｘ飲料に関するマーケティングキャンペーンに参加したとみなされたユーザ（以下「対象ユーザ」ともいう）の属性情報や対象ユーザのマーケティングキャンペーンに参加後の行動に基づいて評価情報を生成する場合を示す。なお、ここでいうマーケティングキャンペーンには、種々の対象の販売促進やブランド認知等を目的とするものが含まれてもよい。例えば、マーケティングキャンペーンには、市場調査や宣伝活動やプロモーション等の種々の内容を目的とする事業体の活動が含まれてもよい。また、ここでいう対象ユーザとは、種々の情報により、そのマーケティングキャンペーンに関連する（参加した）とみなされるユーザであるものとする。例えば、対象ユーザとは、マーケティングキャンペーンの開催期間内において、マーケティングキャンペーンの開催地付近に位置することを示す位置情報が取得されたユーザ等であってもよい。すなわち、ここでいう対象ユーザは、マーケティングキャンペーンへのユーザの意思等に関わらず、マーケティングキャンペーンの位置及び時間と、ユーザの位置及びその位置が取得（検知）された時間との対応によって、捕捉されたユーザであってもよい。なお、この点の詳細については後述する。
【００１１】
〔生成システムの構成〕
まず、図１の説明に先立って、図２に示す生成システム１について説明する。図２に示すように、生成システム１は、端末装置１０−１と、端末装置１０−２と、端末装置１０−３と、事業者装置２０と、生成装置１００とが含まれる。以下では、端末装置１０−１〜１０−３について、特に区別なく説明する場合には、端末装置１０と記載する。各端末装置１０と、事業者装置２０と、生成装置１００とは所定のネットワークＮを介して、有線または無線により通信可能に接続される。図２は、実施形態に係る生成システムの構成例を示す図である。なお、図２に示した生成システム１には、複数台の事業者装置２０や、複数台の生成装置１００が含まれてもよい。
【００１２】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１は、端末装置１０がスマートフォンである場合を示す。
【００１３】
また、端末装置１０は、ＧＰＳ（Global  Positioning  System）センサ等の機能を有し、ユーザの位置情報（センサ情報）を検知し、取得するものとする。また、端末装置１０は、通信を行っている基地局の位置情報や、ＷｉＦｉ（登録商標）（Wireless  Fidelity）の電波を用いてユーザの位置情報を推定し、取得してもよい。なお、以下では位置情報を単に「位置」と記載する場合がある。
【００１４】
また、端末装置１０は、ＧＰＳセンサ等に限らず種々のセンサにより、各種センサ情報を検知してもよい。また、端末装置１０は、加速度センサの機能を有し、ユーザの移動における加速度情報（センサ情報）を検知し、取得する。また、端末装置１０は、温度センサや気圧センサ等の種々の機能を有し、温度や気圧等のユーザの置かれている環境情報を検知し、取得可能であってもよい。また、端末装置１０は、心拍センサ等の種々の機能を有し、ユーザの生体情報を検知し、取得可能であってもよい。例えば、端末装置１０を利用するユーザは、端末装置１０と通信可能なウェアラブルデバイスを身に付けることにより、端末装置１０によりユーザ自身のコンテキスト情報を取得可能としてもよい。例えば、端末装置１０を利用するユーザは、端末装置１０と通信可能なリストバンド型のウェアラブルデバイスを身に付けることにより、端末装置１０によりユーザ自身の心拍（脈拍）に関する情報を端末装置１０が取得可能としてもよい。
【００１５】
また、端末装置１０は、ユーザによる操作を受け付ける。また、端末装置１０は、生成装置１００に種々の情報を送信する。例えば、端末装置１０は、生成装置１００に位置情報や行動情報等を送信する。なお、以下では、端末装置１０をユーザと表記する場合がある。すなわち、以下では、ユーザを端末装置１０と読み替えることもできる。
【００１６】
以下では、ユーザＩＤ「Ｕ１」により識別されるユーザを「ユーザＵ１」とする場合がある。このように、以下では、「ユーザＵ＊（＊は任意の数値）」と記載した場合、そのユーザはユーザＩＤ「Ｕ＊」により識別されるユーザであることを示す。例えば、「ユーザＵ２」と記載した場合、そのユーザはユーザＩＤ「Ｕ２」により識別されるユーザである。例えば、図２に示した生成システム１には、ユーザＵ１が利用する端末装置１０や、ユーザＵ２が利用する端末装置１０等の多数の端末装置１０が含まれる。
【００１７】
図１に示す端末装置１０−１は、ユーザＵ１によって利用される情報処理装置である。図１に示す端末装置１０−２は、ユーザＵ２によって利用される情報処理装置である。図１に示す端末装置１０−３は、ユーザＵ３によって利用される情報処理装置である。端末装置１０は、ユーザによる種々の操作を受け付ける。なお、端末装置１０をユーザと表記する場合がある。すなわち、ユーザを端末装置１０と読み替えることもできる。
【００１８】
事業者装置２０は、事業者（企業）によって利用される情報処理装置である。例えば、事業者は、マーケティングキャンペーン（単に「キャンペーン」ともいう）を行う主体であってもよい。マーケティングキャンペーンを行う事業者が利用する事業者装置２０は、生成装置１００が生成したマーケティングキャンペーンに関する評価情報を取得する。なお、ここでいう事業者とは、法人に限らず個人であってもよく、企業や行政機関や公共団体や公共交通機関等の種々の事業者を含む概念であるものとする。また、事業者装置２０は、例えば、スマートフォンや、タブレット型端末や、ノート型ＰＣや、デスクトップＰＣや、携帯電話機や、ＰＤＡ等により実現される。
【００１９】
生成装置１００は、位置に関連付けられたマーケティングキャンペーンに関する情報に基づいて、マーケティングキャンペーンの評価を示す評価情報を生成する情報処理装置である。例えば、生成装置１００は、位置及び時間に関連付けられたマーケティングキャンペーンに関する情報に基づいて、マーケティングキャンペーンの位置及び時間に、位置情報及び当該位置情報が取得された時間が対応するユーザに関する情報を用いて、マーケティングキャンペーンの評価を示す評価情報を生成する。また、生成装置１００は、生成したマーケティングキャンペーンの評価を示す評価情報を事業者装置２０へ提供する。
【００２０】
図１の例では、生成装置１００がユーザＵ１〜Ｕ３等の多数のユーザの位置情報や行動情報に基づいて、マーケティングキャンペーンＩＤ「ＭＣ１」により識別されるマーケティングキャンペーンのイベント（以下、「イベントＭＣ１」ともいう）に関する評価情報を生成する場合を示す。
【００２１】
図１の例では、ユーザＵ１〜Ｕ３等は、端末装置１０−１〜１０−３等を利用するユーザであり、生成装置１００は各端末装置１０が有するＧＰＳセンサ等の機能により各端末装置１０の位置を取得する。図１に示す地図情報ＭＰ１は、ユーザＵ１〜Ｕ３等の位置を模式的に示す。また、地図情報ＭＰ１において、各端末装置１０（各端末装置１０を所有するユーザ）の位置を位置ＬＣ１１〜ＬＣ１３、ＬＣ２１、ＬＣ２２により示す。なお、位置ＬＣ１１〜ＬＣ１３、ＬＣ２１、ＬＣ２２を区別しない場合は、位置ＬＣとする場合がある。また、以下では、生成装置１００がユーザＵ１〜Ｕ３等の位置やユーザＵ１〜Ｕ３等の行動情報をリアルタイムに取得する場合を示すが、生成装置１００は適宜のタイミングでユーザＵ１〜Ｕ３等の位置やユーザＵ１〜Ｕ３等の行動情報を取得し、生成処理を行ってもよい。例えば、生成装置１００は、定期的（例えば１日おき）に各ユーザの位置や行動情報を取得し、生成処理を行ってもよい。例えば、生成装置１００は、マーケティングキャンペーン終了後において各ユーザの位置や行動情報を取得し、生成処理を行ってもよい。
【００２２】
図１の例では、Ｘ飲料のマーケティングキャンペーンに対応するイベントＭＣ１が位置ＬＣ１０で行われている場合を示す。イベントＭＣ１の開催期間（日時ｄｔ１０−ｄｔ２０）内に、イベントＭＣ１の位置ＬＣ１０から所定の範囲（以下、「範囲ＡＲ１」とする）に位置したユーザをイベントＭＣ１の対象ユーザとして集計する。このように、生成装置１００は、マーケティングキャンペーンの位置及び時間に、位置情報及び当該位置情報が取得された時間が対応するユーザを対象ユーザとして集計する。この場合、例えば、生成装置１００は、マーケティングキャンペーンの開催期間内において、マーケティングキャンペーンに対応する位置から所定の範囲内に、所定の時間（例えば５分や１０分等）に亘って位置したユーザを、対象ユーザとして集計する。例えば、範囲ＡＲ１は、イベントの規模等に応じて適宜設定されてもよく、イベントＭＣ１の位置ＬＣ１０から１０ｍ等であってもよい。なお、図１の例では、説明を簡単にするために、イベントＭＣ１の位置ＬＣ１０とユーザに位置の関係に基づいて、対象ユーザを推定する場合を示すが、各ユーザがマーケティングキャンペーンに参加したかどうかは、ユーザの位置情報に限らず、種々の情報に基づいて推定してもよい。例えば、マーケティングキャンペーンが入場手続等が必要な会場内で行われる場合、生成装置１００は、マーケティングキャンペーンの会場に入場したユーザを対象ユーザとして推定してもよい。
【００２３】
まず、生成装置１００は、イベントＭＣ１の開催期間（日時ｄｔ１０−ｄｔ２０）における各ユーザの位置情報を取得する（ステップＳ１１）。例えば、生成装置１００は、日時ｄｔ１１においてユーザＵ１が位置ＬＣ１１に位置することを示す情報を端末装置１０−１から取得する。図１の例では、生成装置１００は、日時ｄｔ１１においてユーザＵ１がイベントＭＣ１の範囲ＡＲ１内に位置することを示す位置ＬＣ１１を取得する。そのため、生成装置１００は、ユーザＵ１を、イベントＭＣ１の対象ユーザとして集計する。
【００２４】
例えば、生成装置１００は、日時ｄｔ１２においてユーザＵ２が位置ＬＣ１２に位置することを示す情報を端末装置１０−２から取得する。図１の例では、生成装置１００は、日時ｄｔ１２においてユーザＵ２がイベントＭＣ１の範囲ＡＲ１内に位置することを示す位置ＬＣ１２を取得する。そのため、生成装置１００は、ユーザＵ２を、イベントＭＣ１の対象ユーザとして集計する。
【００２５】
例えば、生成装置１００は、日時ｄｔ１３においてユーザＵ３が位置ＬＣ１３に位置することを示す情報を端末装置１０−３から取得する。図１の例では、生成装置１００は、日時ｄｔ１３においてユーザＵ３がイベントＭＣ１の範囲ＡＲ１内に位置することを示す位置ＬＣ１３を取得する。そのため、生成装置１００は、ユーザＵ３を、イベントＭＣ１の対象ユーザとして集計する。なお、図１の例では、ユーザＵ１〜Ｕ３のみを図示するが、生成装置１００は、多数（例えば、１０万人等）のイベントＭＣ１の対象ユーザについての情報を取得しているものとする。
【００２６】
そして、生成装置１００は、イベントＭＣ１の開催期間に集計されたイベントＭＣ１の対象ユーザの情報に基づいて、マーケティングキャンペーンＩＤ「ＭＣ１」により識別されるマーケティングキャンペーンの評価情報ＥＶ１−１を生成する（ステップＳ１２）。例えば、生成装置１００は、図１に示すようなターゲット情報ＴＧに基づいて、評価情報ＥＶ１−１を生成する。ターゲット情報ＴＧは、マーケティングキャンペーンＩＤ「ＭＣ１」により識別されるマーケティングキャンペーンがターゲットしているユーザ属性を示す。この場合、マーケティングキャンペーンＩＤ「ＭＣ１」により識別されるマーケティングキャンペーンは、「２０−３０代の男性」、すなわち２０代から３０代の男性をターゲットとしていることを示す。そのため、生成装置１００は、イベントＭＣ１の対象ユーザのうち、ターゲット「２０代から３０代の男性」を満たすユーザの割合を評価情報ＥＶ１−１として生成する。
【００２７】
例えば、生成装置１００は、イベントＭＣ１の対象ユーザがユーザＵ１〜Ｕ３の３人であるとした場合、イベントＭＣ１の対象ユーザのうち、イベントＭＣ１のターゲットとするユーザ（ユーザＵ１、Ｕ３）の割合を「０．６６（＝２／３）」と算出する。例えば、生成装置１００は、イベントＭＣ１の対象ユーザの総数と、イベントＭＣ１の対象ユーザのうち、イベントＭＣ１のターゲットとするユーザの割合を示す情報とを含む評価情報ＥＶ１−１を生成する。例えば、生成装置１００は、イベントＭＣ１の対象ユーザの総数「１０万人」と、イベントＭＣ１の対象ユーザのうち、イベントＭＣ１のターゲットとするユーザの割合「７０％」を示す情報とを含む評価情報ＥＶ１−１を生成する。
【００２８】
また、生成装置１００は、対象ユーザのマーケティングキャンペーンへの参加後の行動情報を取得する（ステップＳ２１）。図１の例では、生成装置１００は、イベントＭＣ１の対象ユーザのマーケティングキャンペーンへの参加後の行動情報を取得する。なお、図１の例では、マーケティングキャンペーンの期間後の行動情報を取得する場合を示すが、対象ユーザの行動は、マーケティングキャンペーンへの参加後であれば、マーケティングキャンペーンの期間中の行動であってもよい。すなわち、生成装置１００は、イベントＭＣ１に参加した対象ユーザがイベントＭＣ１に参加した日時以後の対象ユーザの行動情報を取得する。例えば、生成装置１００は、日時ｄｔ１３にイベントＭＣ１に参加した対象ユーザ（「ユーザＵ５」とする）の日時ｄｔ１３以後の行動情報を取得する。
【００２９】
例えば、生成装置１００は、日時ｄｔ２１においてユーザＵ２がクエリ「Ｘ飲料」を用いた検索を行ったことを示す情報を端末装置１０−２から取得する。図１の例では、生成装置１００は、日時ｄｔ２１においてユーザＵ２がイベントＭＣ１の対象「Ｘ飲料」に関する行動を行ったことを示す行動情報を取得する。そのため、生成装置１００は、ユーザＵ２を、イベントＭＣ１の参加後に所定の行動を行ったユーザ（以下、「行動ユーザ」ともいう）として集計する。なお、所定の行動は、図７に示すマーケティング情報記憶部１２４中の各マーケティングキャンペーンに対応付けられる期待行動に該当することを条件としてもよい。例えば、所定の行動は、評価の対象となるマーケティングキャンペーンの対象商品の購入や会員登録等の所定のコンバージョンであってもよい。例えば、生成装置１００は、マーケティングキャンペーンＩＤ「ＭＣ１」により識別されるマーケティングキャンペーンに対応する期待行動ＥＡ１に含まれる「Ｘ飲料の購入」や「Ｘ飲料の検索」に該当するものを、集計対象としてもよい。また、例えば、生成装置１００は、「Ｘ飲料」に関する行動であれば、期待行動ＥＡ１に含まれる行動に限らず、集計対象としてもよい。例えば、生成装置１００は、「Ｘ飲料」に関する行動であれば、ソーシャルネットワーキングサービス（ＳＮＳ：Social  Networking  Service）における対象ユーザの投稿等も集計対象としてもよい。例えば、生成装置１００は、対象ユーザが「Ｘ飲料」の文字列を含む投稿を行っている場合、その投稿も集計対象としてもよい。
【００３０】
また、例えば、生成装置１００は、日時ｄｔ２２においてユーザＵ１が商品「Ｘ飲料」を購入したことを示す情報を取得する。図１の例では、生成装置１００は、日時ｄｔ２２においてユーザＵ１がイベントＭＣ１の対象「Ｘ飲料」に関する行動を行ったことを示す行動情報を取得する。そのため、生成装置１００は、ユーザＵ１を、イベントＭＣ１の行動ユーザとして集計する。なお、図１の例では、生成装置１００は、多数（例えば、１万人等）のイベントＭＣ１の行動ユーザについての情報を取得しているものとする。
【００３１】
そして、生成装置１００は、イベントＭＣ１の対象ユーザから取得された行動情報に基づいて、マーケティングキャンペーンＩＤ「ＭＣ１」により識別されるマーケティングキャンペーンの評価情報ＥＶ１−２を生成する（ステップＳ２２）。例えば、生成装置１００は、イベントＭＣ１の対象ユーザのうち、イベントＭＣ１の対象「Ｘ飲料」に関する行動を行った行動ユーザの割合を算出する。例えば、生成装置１００は、イベントＭＣ１の対象ユーザがユーザＵ１〜Ｕ３の３人であるとした場合、イベントＭＣ１の対象ユーザのうち、イベントＭＣ１の行動ユーザ（ユーザＵ１、Ｕ２）の割合を「０．６６（＝２／３）」と算出する。なお、生成装置１００は、ターゲットとするユーザのみを対象とする場合、ユーザＵ１、Ｕ２の２人のうち、ユーザＵ１のみがイベントＭＣ１の行動ユーザであることを示す割合「０．５（＝１／２）」を算出してもよい。
【００３２】
例えば、生成装置１００は、イベントＭＣ１の対象ユーザの総数と、イベントＭＣ１の対象ユーザのうち、イベントＭＣ１の行動ユーザの割合を示す情報とを含む評価情報ＥＶ１−２を生成する。例えば、生成装置１００は、イベントＭＣ１の行動ユーザの総数「１万人」と、イベントＭＣ１の対象ユーザのうち、イベントＭＣ１の行動ユーザの割合「１０％」を示す情報とを含む評価情報ＥＶ１−２を生成する。
【００３３】
上述したように、生成装置１００は、Ｘ飲料に関するイベントＭＣ１の対象ユーザの属性情報に基づいて評価情報ＥＶ１−１を生成する。また、生成装置１００は、イベントＭＣ１の対象ユーザのイベントＭＣ１参加後の行動に基づいて評価情報ＥＶ１−２を生成する。図１の例では、生成装置１００は、位置ＬＣ１０に対応付けられたマーケティングキャンペーンについて、そのイベントＭＣ１の対象ユーザのうち、ターゲットとするユーザ属性のユーザが占める割合や、対象ユーザのうち、参加後に所定の行動を行った割合を示す情報を評価情報として生成する。このように、生成装置１００は、位置に関連付けられたマーケティングキャンペーンの効果を数値で示す評価情報を生成するとことにより、所定のマーケティングキャンペーンを適切に評価することができる。
【００３４】
〔１−１．マーケティングキャンペーン〕
なお、上記の例では、対象「飲料Ｘ」に関するマーケティングキャンペーンを一例として説明したが、生成装置１００は、種々の対象に関するマーケティングキャンペーンの評価情報を生成してもよい。例えば、生成装置１００は、対象が献血である場合、そのマーケティングキャンペーンに関する献血イベントへ参加した対象ユーザが、献血イベントに参加後に献血をしているかどうかを集計対象としてもよい。また、この場合、生成装置１００は、図７に示すマーケティング情報記憶部１２４中の献血を対象とするマーケティングキャンペーンＩＤ「ＭＣ２」により識別されるマーケティングキャンペーンに対応するターゲット「−」のように、ターゲットの設定を行わず、全ユーザをターゲットとしてもよい。
【００３５】
また、マーケティングキャンペーンへのユーザの接触ポイントは、図１に示すようなイベントに限らず、種々の態様であってもよい。例えば、生成装置１００は、マーケティングキャンペーンに関する広告の掲示へのユーザの接触を対象に、情報を収集してもよい。例えば、生成装置１００は、マーケティングキャンペーンの対象を示す広告が掲示された位置付近に広告の掲示期間中に位置したユーザを、そのマーケティングキャンペーンの対象ユーザとして集計してもよい。例えば、マーケティングキャンペーンに関する広告の掲示が行われる場合、生成装置１００は、掲示された広告を視認したユーザを対象ユーザとして推定してもよい。例えば、生成装置１００は、視線検知センサ（アイトラッキングセンサ）等の種々の手段により広告を視認したユーザを検知し、そのユーザを対象ユーザとして推定してもよい。例えば、生成装置１００は、マーケティングキャンペーンに関するイベントにおいてアンケートを行う場合、アンケートに回答したユーザを、そのマーケティングキャンペーンの対象ユーザとして集計してもよい。例えば、生成装置１００は、ドライアイ等の症状に関するマーケティングキャンペーン（イベント）においてアンケートを行う場合、アンケートに回答したユーザを、ドライアイ等の症状に関する対象ユーザとして集計してもよい。なお、上記は一例であり、生成装置１００は、マーケティングキャンペーンに関する種々の接触ポイントを対象として対象ユーザの集計を行ってもよい。
【００３６】
〔１−２．参加後の行動〕
なお、生成装置１００は、マーケティングキャンペーンに参加後のユーザの行動のうち、所定の期間（以下、「集計期間」ともいう）内の行動のみを集計対象としてもよい。例えば、生成装置１００は、マーケティングキャンペーンに参加後の一の対象ユーザの行動のうち、一の対象ユーザが参加後から所定の期間（例えば１週間）以内に行った行動のみを集計対象としてもよい。この場合、例えば、生成装置１００は、イベントＭＣ１の対象ユーザが、翌日に飲料Ｘに関するＳＮＳの投稿を行った場合、その行動を集計対象としてもよい。例えば、生成装置１００は、イベントＭＣ１の対象ユーザが、２週間後に飲料Ｘの検索を行った場合、その行動を集計対象としなくてもよい。
【００３７】
なお、上記の期間は一例であり、マーケティングキャンペーンの種別や目的等に応じて、生成装置１００は、集計対象とする集計期間を変動させてもよい。例えば、生成装置１００は、マーケティングキャンペーンの対象に関する価格に基づいて、集計期間を変動させてもよい。以下、通常の集計期間（以下、「第１期間」とする）を２週間とした場合を一例に説明する。
【００３８】
例えば、生成装置１００は、マーケティングキャンペーンの対象が低額な程、集計期間を短くしてもよい。例えば、生成装置１００は、マーケティングキャンペーンの対象が所定の価格（例えば１０００円等）未満の対象である場合、集計期間を第１期間も短い第２期間（例えば１０日）としてもよい。例えば、生成装置１００は、マーケティングキャンペーンの対象が価格「１００円」である清涼飲料水である場合、集計期間を第１期間も短い第２期間（例えば１週間）としてもよい。
【００３９】
例えば、生成装置１００は、マーケティングキャンペーンの対象が高額な程、集計期間を長くしてもよい。例えば、生成装置１００は、マーケティングキャンペーンの対象が所定の価格（例えば１００万円等）以上の対象である場合、集計期間を第１期間も長い第３期間（例えば３ヶ月）としてもよい。例えば、生成装置１００は、マーケティングキャンペーンの対象が価格「５００万円」である高級自動車である場合、集計期間を第１期間も長い第３期間（例えば半年）としてもよい。
【００４０】
また、例えば、生成装置１００は、対象ユーザの行動の種別に応じて集計期間を変動させてもよい。例えば、生成装置１００は、対象ユーザの行動がマーケティングキャンペーンの主体にとって価値が高い程、その行動の集計期間を長くしてもよい。例えば、生成装置１００は、マーケティングキャンペーンの対象が高級自動車である場合、対象ユーザの行動が購入である場合、その集計期間を全行動のうち最も長い半年としてもよい。例えば、生成装置１００は、マーケティングキャンペーンの対象が高級自動車である場合、対象ユーザの行動が検索である場合、その集計期間を全行動のうち最も短い１ヶ月としてもよい。例えば、生成装置１００は、マーケティングキャンペーンの対象が高級自動車である場合、対象ユーザの行動が高級自動車の資料請求である場合、その集計期間を２ヶ月としてもよい。例えば、生成装置１００は、マーケティングキャンペーンの対象が高級自動車である場合、対象ユーザの行動が高級自動車の販売店への来店である場合、その集計期間を３ヶ月としてもよい。
【００４１】
〔１−３．他の情報による影響の補正〕
なお、生成装置１００は、評価対象となるマーケティングキャンペーン以外の他の情報による影響の補正を行ってもよい。例えば、生成装置１００は、例えばテレビＣＭの視聴等の他の情報による影響を推定し、その影響を加味した評価を行ってもよい。例えば、生成装置１００は、例えばテレビＣＭの視聴等、マーケティングキャンペーン以外の情報によって、マーケティングキャンペーンの対象に関するコンバージョン（以下、「対象コンバージョン」とする）を測定し、差分を取ることにより、マーケティングキャンペーンの評価の補正を行ってもよい。
【００４２】
例えば、生成装置１００は、対象ユーザ以外のユーザ（以下、「比較用ユーザ」とする）による対象コンバージョンを測定し、その効果に基づいて、マーケティングキャンペーンの評価を低下させることにより、マーケティングキャンペーンの評価の補正を行ってもよい。例えば、生成装置１００は、比較用ユーザにおいてテレビＣＭの視聴により５％の対象コンバージョンの上昇があった場合、マーケティングキャンペーンの評価を５％低下させることにより、マーケティングキャンペーンの評価の補正を行ってもよい。テレビＣＭの視聴等の他の情報による影響を推定し、その影響を加味した評価を行ってもよい。
【００４３】
生成装置１００は、いわゆるＡＢテストのように、対象ユーザに関する情報と比較用ユーザに関する情報との差分に基づいて、マーケティングキャンペーンの評価の補正を行ってもよい。なお、上記は一例であり、生成装置１００は、どのような情報を用いてマーケティングキャンペーンの評価の補正を行ってもよい。
【００４４】
〔１−４．評価の計測〕
なお、生成装置１００は、種々の手段により、対象ユーザのコンバージョンを捕捉してもよい。例えば、生成装置１００は、対象ユーザのコンバージョンを時間方向で集計し、キャンペーン前後で比較することにより、マーケティングキャンペーンの評価を生成してもよい。
【００４５】
例えば、生成装置１００は、対象コンバージョンを時間方向で集計し、キャンペーン前後での変化を比較することにより、マーケティングキャンペーンの評価を生成してもよい。この場合、生成装置１００は、日頃（キャンペーン前）は１０００人に１人しかオンラインで買わない対象の場合、その対象コンバージョン（コンバージョン率）をベースラインとして、マーケティングキャンペーンの評価を生成してもよい。すなわち、生成装置１００は、日頃（キャンペーン前）は１０００人に１人しかオンラインで買わない対象の場合、コンバージョン率「０．１％（＝１／１０００＊１００」）をベースラインとして、マーケティングキャンペーンの評価を生成してもよい。例えば、生成装置１００は、対象コンバージョンを時間方向で集計し、キャンペーン前のコンバージョン率が「０．１％」が、キャンペーン後のコンバージョン率が「１％」、すなわち１０倍になった場合、その情報に基づいて、マーケティングキャンペーンの評価を生成してもよい。また、例えば、生成装置１００は、対象コンバージョンを時間方向で集計し、キャンペーン前後で対象コンバージョンが１０％上昇した場合、この１０％の上昇に基づいて、マーケティングキャンペーンの評価を生成してもよい。これにより、生成装置１００は、マーケティングキャンペーンの対象によっては、コンバージョンのカバレッジが限定的である場合であっても、適切にマーケティングキャンペーンの評価を生成することができる。
【００４６】
例えば、生成装置１００は、マーケティングキャンペーンに参加したユーザがコンバージョンに至ったとしても、商材の特性次第でコンバージョンを捕捉できる割合にばらつきが生じる。例えば、生成装置１００は、マーケティングキャンペーンに１０００人参加して、そのうち１００人コンバージョンがあったとしても、商材の特性次第で、あるマーケティングキャンペーンの場合、５０人がオンラインで購入したり、別のマーケティングキャンペーンの場合、１０人しかオンラインで購入しなかったり等、コンバージョンを捕捉できる割合が変動する。このように、商品特性に応じて、オンライン部分のみでの、商材・キャンペーンをまたいだ横の比較による評価を適切に行うことは難しい。しかしながら、生成装置１００は、計測できるコンバージョンを時間方向で集計し、キャンペーン前後で比較することにより、適切にマーケティングキャンペーンの評価を生成することができる。
【００４７】
〔１−５．計測対象〕
なお、生成装置１００は、種々のコンバージョンを対象に計測を行ってもよい。例えば、生成装置１００は、所定のエリアを対象に行うマーケティングキャンペーンの場合、その所定のエリアに関するユーザの行動を段階的に計測して、マーケティングキャンペーンの評価を生成してもよい。例えば、生成装置１００は、マーケティングキャンペーンが「Ｘ県におこしやすイベント」である場合、複数のコンバージョンを段階的に計測してもよい。この場合、生成装置１００は、イベントに行った対象ユーザが、第１段階「検索する」、第２段階「予約する」、第３段階「実際にＸ県行く」等の複数のコンバージョンの各々を計測してもよい。そして、生成装置１００は、第１段階〜第３段階等の各段階におけるマーケティングキャンペーンの評価を生成してもよい。このように、生成装置１００は、イベントに来た対象ユーザを捕捉し、その後の行動を継続して計測することにより、適切にマーケティングキャンペーンの評価を生成することができる。
【００４８】
また、生成装置１００は、マーケティングキャンペーンに関する対象ユーザに限らず、種々の対象ユーザを捕捉し、その後の行動を継続して計測することにより、そのユーザの行動に関する情報を継続して収集してもよい。例えば、生成装置１００は、Ｘ県Ｙ市で事件が発生した場合、その付近のユーザを対象ユーザとして、その対象ユーザの行動に関する情報を継続して収集し、警察等の所定の期間に情報提供を行ってもよい。
【００４９】
〔２．生成装置の構成〕
次に、図３を用いて、実施形態に係る生成装置１００の構成について説明する。図３は、実施形態に係る生成装置の構成例を示す図である。図３に示すように、生成装置１００は、通信部１１０と、記憶部１２０と、制御部１３０とを有する。なお、生成装置１００は、生成装置１００の管理者等から各種操作を受け付ける入力部（例えば、キーボードやマウス等）や、各種情報を表示するための表示部（例えば、液晶ディスプレイ等）を有してもよい。
【００５０】
（通信部１１０）
通信部１１０は、例えば、ＮＩＣ（Network  Interface  Card）等によって実現される。そして、通信部１１０は、ネットワーク（例えば図２中のネットワークＮ）と有線または無線で接続され、端末装置１０との間で情報の送受信を行う。
【００５１】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図３に示すように、ユーザ情報記憶部１２１と、行動情報記憶部１２２と、位置情報記憶部１２３と、マーケティング情報記憶部１２４とを有する。
【００５２】
（ユーザ情報記憶部１２１）
実施形態に係るユーザ情報記憶部１２１は、ユーザに関する各種情報を記憶する。例えば、ユーザ情報記憶部１２１は、ユーザ属性に関する各種情報やユーザの行動に関する各種情報を記憶する。図４は、実施形態に係るユーザ情報記憶部の一例を示す図である。図４に示すユーザ情報記憶部１２１は、「ユーザＩＤ」、「年齢」、「性別」、「自宅」、「勤務地」、「興味」といった項目が含まれる。
【００５３】
「ユーザＩＤ」は、ユーザを識別するための識別情報を示す。また、「年齢」は、ユーザＩＤにより識別されるユーザの年齢を示す。なお、「年齢」は、例えば３５歳など、ユーザＩＤにより識別されるユーザの具体的な年齢であってもよい。また、「性別」は、ユーザＩＤにより識別されるユーザの性別を示す。
【００５４】
また、「自宅」は、ユーザＩＤにより識別されるユーザの自宅の位置情報を示す。なお、図４に示す例では、「自宅」は、「ＬＣ１−１」といった抽象的な符号を図示するが、緯度や経度を示す情報であってもよい。また、例えば、「自宅」は、地域名や住所であってもよい。
【００５５】
また、「勤務地」は、ユーザＩＤにより識別されるユーザの勤務地の位置情報を示す。なお、図４に示す例では、「勤務地」は、「ＬＣ１−２」といった抽象的な符号を図示するが、緯度や経度を示す情報であってもよい。また、例えば、「勤務地」は、地域名や住所であってもよい。
【００５６】
また、「興味」は、ユーザＩＤにより識別されるユーザの興味を示す。すなわち、「興味」は、ユーザＩＤにより識別されるユーザが関心の高い対象を示す。なお、図４に示す例では、「興味」は、各ユーザに１つずつ図示するが、複数であってもよい。
【００５７】
例えば、図４の例では、ユーザＩＤ「Ｕ１」により識別されるユーザの年齢は、「２０代」であり、性別は、「男性」であることを示す。また、例えば、ユーザＩＤ「Ｕ１」により識別されるユーザは、自宅が「ＬＣ１−１」であることを示す。また、例えば、ユーザＩＤ「Ｕ１」により識別されるユーザは、勤務地が「ＬＣ１−２」であることを示す。また、例えば、ユーザＩＤ「Ｕ１」により識別されるユーザは、「スポーツ」に興味があることを示す。
【００５８】
なお、ユーザ情報記憶部１２１は、上記に限らず、目的に応じて種々の情報を記憶してもよい。例えば、ユーザ情報記憶部１２１は、他のデモグラフィック属性情報やサイコグラフィック属性情報を記憶してもよい。例えば、ユーザ情報記憶部１２１は、氏名、家族構成、収入、ライフスタイル等の情報を記憶してもよい。また、ユーザ情報記憶部１２１は、ユーザが利用する端末装置１０を識別する情報（端末ＩＤ）を記憶してもよい。
【００５９】
（行動情報記憶部１２２）
実施形態に係る行動情報記憶部１２２は、ユーザの行動に関する各種情報を記憶する。図５は、実施形態に係る行動情報記憶部の一例を示す図である。例えば、行動情報記憶部１２２は、各ユーザの行動等の各種の行動情報を記憶する。図５に示す行動情報記憶部１２２には、「ユーザＩＤ」、「行動ＩＤ」、「日時」、「種別」、「内容」といった項目が含まれる。
【００６０】
「ユーザＩＤ」は、ユーザを識別するための識別情報を示す。例えば、ユーザＩＤ「Ｕ１」により識別されるユーザは、図１の例に示したユーザＵ１に対応する。また、「行動ＩＤ」は、ユーザの行動を識別する情報を示す。「日時」は、対応するユーザの行動が行われた日時を示す。なお、図５の例では、「ｄｔ２２」等で図示するが、「日時」には、「２０１７年７月８日１６時５３分４８秒」等の具体的な日時が記憶されてもよい。また、「種別」は、対応するユーザの行動の種別に関する情報を示す。また、「内容」は、対応するユーザの行動において対象となった内容を示す。
【００６１】
例えば、図５に示す例において、ユーザＩＤ「Ｕ１」により識別されるユーザ（ユーザＵ１）は、行動ＩＤ「ＡＣ１１」により識別される行動（行動ＡＣ１１）を行ったことを示す。例えば、図５に示す例においてユーザＵ１は、日時ｄｔ２２において、ＡコンビニでＸ飲料の購入（行動ＡＣ１１）を行ったことを示す。
【００６２】
例えば、図５に示す例において、ユーザＩＤ「Ｕ２」により識別されるユーザ（ユーザＵ２）は、行動ＩＤ「ＡＣ２１」により識別される行動（行動ＡＣ２１）を行ったことを示す。例えば、図５に示す例においてユーザＵ２は、日時ｄｔ２１において、クエリ「Ｘ飲料」を用いた検索（行動ＡＣ２１）を行ったことを示す。
【００６３】
なお、行動情報記憶部１２２は、上記に限らず、目的に応じて種々の情報を記憶してもよい。また、図５では、ユーザＩＤごとに行動情報が行動情報記憶部１２２に記憶される場合を示したが、行動情報は、ユーザＩＤごとに限らず、例えば時刻順に記憶されてもよい。
【００６４】
（位置情報記憶部１２３）
実施形態に係る位置情報記憶部１２３は、位置に関する各種情報を記憶する。例えば、位置情報記憶部１２３は、センサにより検知された位置に関する各種情報を記憶する。図６は、実施形態に係る位置情報記憶部の一例を示す図である。図６に示す位置情報記憶部位置情報記憶部１２３は、「ユーザＩＤ」、「位置情報」といった項目が含まれる。「位置情報」には、「日時」、「位置」といった項目が含まれる。
【００６５】
「ユーザＩＤ」は、ユーザを識別するための識別情報を示す。「位置情報」は、ユーザの位置情報の履歴を示す。「日時」は、各位置情報が取得された日時を示す。なお、図６の例では「日時」を抽象的な符号「ｄｔ１１」等で図示するが、「日時」には、「２０１７年７月６日１８時５９分４８秒」等の具体的な日時が記憶されてもよい。また、「位置」は、対応する日時における対応するユーザの位置情報を示す。なお、図６の例では「位置」を抽象的な符号「ＬＣ１１」等で図示するが、「位置」には、具体的な緯度経度情報等が記憶されてもよい。
【００６６】
例えば、図６に示す例において、ユーザＩＤ「Ｕ１」により識別されるユーザの位置「ＬＣ１１」が、日時「ｄｔ１１」に取得されたことを示す。例えば、ユーザＩＤ「Ｕ１」により識別されるユーザ（ユーザＵ１）が利用する端末装置１０−１の位置「ＬＣ１１」が、日時「ｄｔ１１」に取得されたことを示す。例えば、図６に示す例において、ユーザＩＤ「Ｕ２」により識別されるユーザ（ユーザＵ２）が利用する端末装置１０−２の位置「ＬＣ１２」が、日時「ｄｔ１２」に取得されたことを示す。例えば、ユーザＩＤ「Ｕ３」により識別されるユーザ（ユーザＵ３）が利用する端末装置１０−３の位置「ＬＣ１３」が、日時「ｄｔ１３」に取得されたことを示す。
【００６７】
なお、位置情報記憶部１２３は、上記に限らず、目的に応じて種々の情報を記憶してもよい。例えば、位置情報記憶部１２３は、位置情報に限らず、加速度情報等の種々のセンサ情報を記憶してもよい。また、位置情報記憶部１２３は、ユーザのコンテキストに関する情報を記憶してもよい。
【００６８】
（マーケティング情報記憶部１２４）
実施形態に係るマーケティング情報記憶部１２４は、マーケティングに関する各種情報を記憶する。図７は、実施形態に係るマーケティング情報記憶部の一例を示す図である。例えば、マーケティング情報記憶部１２４は、マーケティングキャンペーンに関する情報を記憶する。図７に示すマーケティング情報記憶部１２４には、「マーケティングキャンペーンＩＤ」、「場所」、「期間」、「対象」、「ターゲット」、「期待行動」、「評価情報」といった項目が含まれる。
【００６９】
「マーケティングキャンペーンＩＤ」は、マーケティングキャンペーンを識別するための識別情報を示す。
【００７０】
「場所」は、マーケティングキャンペーンに関連付けられた位置を示す。例えば、「場所」は、マーケティングキャンペーンのイベントが開催される位置や広告が掲示される位置を示す。なお、図７の例では「場所」を抽象的な符号「ＬＣ１０」等で図示するが、「場所」には、具体的な緯度経度情報等の位置情報が記憶されてもよい。また、「場所」には、マーケティングキャンペーンに関連付けられる範囲（エリア）を示す情報が記憶されてもよい。
【００７１】
「期間」は、マーケティングキャンペーンが実施される期間を示す。例えば、「期間」は、マーケティングキャンペーンのイベントが開催される期間や広告が掲示される期間を示す。なお、図７の例では「期間」を抽象的な符号「ｄｔ１０−ｄｔ２０」等で図示するが、「期間」には、「２０１７年７月７日１２時００分００秒−７月３１日１９時００分００秒」等の具体的な期間が記憶されてもよい。
【００７２】
「対象」は、マーケティングキャンペーンの対象を示す。例えば、「対象」は、販売促進したい商品等の有体物であってもよいし、利用促進したサービス等の無体物であってもよい。例えば、「対象」は、ユーザが認識可能なものであればどのような対象であってもよい。
【００７３】
「ターゲット」は、マーケティングキャンペーンがターゲットしているユーザを示す。例えば、「ターゲット」は、マーケティングキャンペーンがターゲットしているユーザ属性を示す。例えば、「ターゲット」は、マーケティングキャンペーンがターゲットしているユーザのデモグラフィック属性やサイコグラフィック属性等のユーザ属性を示す。
【００７４】
「期待行動」は、マーケティングキャンペーンに参加したとみなされたユーザ（対象ユーザ）に、マーケティングキャンペーンに参加後に期待する行動を示す。なお、図７の例では「期待行動」を抽象的な符号「ＥＡ１」等で図示するが、「期待行動」は、「対象の購入」や「対象の検索」や「対象の利用」等の対象ユーザに行ってほしい具体的な行動が記憶されてもよい。
【００７５】
「評価情報」は、マーケティングキャンペーンに関する評価情報を示す。なお、図７の例では「評価情報」を抽象的な符号「ＥＶ１」等で図示するが、「評価情報」は、マーケティングキャンペーンに参加したとみなされたユーザのうち、ターゲットとするユーザの割合や、マーケティングキャンペーンに参加したとみなされたユーザのうち、期待行動を行ったユーザの割合等のマーケティングキャンペーンに関する評価を具体的に示す情報が記憶されてもよい。
【００７６】
例えば、図７に示す例において、マーケティングキャンペーンＩＤ「ＭＣ１」により識別されるマーケティングキャンペーンは、期間「日時ｄｔ１０−ｄｔ２０」において場所「位置ＬＣ１０」で開催されることを示す。また、マーケティングキャンペーンＩＤ「ＭＣ１」により識別されるマーケティングキャンペーンは、対象が商品「Ｘ飲料」であることを示す。
【００７７】
また、マーケティングキャンペーンＩＤ「ＭＣ１」により識別されるマーケティングキャンペーンは、ターゲットとするユーザ属性が「２０代から３０代の男性」であることを示す。また、マーケティングキャンペーンＩＤ「ＭＣ１」により識別されるマーケティングキャンペーンの期待行動は、期待行動ＥＡ１であることを示す。例えば、期待行動ＥＡ１には、「Ｘ飲料の購入」や「Ｘ飲料の検索」等が含まれる。また、マーケティングキャンペーンＩＤ「ＭＣ１」により識別されるマーケティングキャンペーンの評価情報は、評価情報ＥＶ１であることを示す。例えば、評価情報ＥＶ１には、マーケティングキャンペーンＩＤ「ＭＣ１」により識別されるマーケティングキャンペーンのイベント（図１中の「イベントＭＣ１」に対応）に参加したとみなされたユーザのうち、ターゲット「２０代から３０代の男性」を満たすユーザの割合や、イベントＭＣ１に参加したとみなされたユーザのうち、期待行動ＥＡ１を行ったユーザの割合を示す。例えば、評価情報ＥＶ１には、図１の例における評価情報ＥＶ１−１や評価情報ＥＶ１−２等が含まれる。
【００７８】
なお、マーケティング情報記憶部１２４は、上記に限らず、目的に応じて種々の情報を記憶してもよい。例えば、マーケティング情報記憶部１２４は、マーケティングが追加された日時に関する情報を記憶してもよい。また、例えば、マーケティング情報記憶部１２４は、各マーケティングキャンペーンを実施する事業者に関する情報を記憶してもよい。例えば、マーケティング情報記憶部１２４は、各マーケティングキャンペーンの実施に要する費用等を示す情報を記憶してもよい。
【００７９】
（制御部１３０）
図３の説明に戻って、制御部１３０は、コントローラ（controller）であり、例えば、ＣＰＵ（Central  Processing  Unit）やＭＰＵ（Micro  Processing  Unit）等によって、生成装置１００内部の記憶装置に記憶されている各種プログラム（抽出プログラムや生成プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００８０】
図３に示すように、制御部１３０は、取得部１３１と、抽出部１３２と、生成部１３３と、提供部１３４とを有し、以下に説明する情報処理の機能や作用を実現または実行する。なお、制御部１３０の内部構成は、図３に示した構成に限られず、後述する情報処理を行う構成であれば他の構成であってもよい。
【００８１】
（取得部１３１）
取得部１３１は、各種情報を取得する。例えば、取得部１３１は、端末装置１０等の外部の情報処理装置から各種情報を取得する。例えば、取得部１３１は、ユーザ情報記憶部１２１や行動情報記憶部１２２や位置情報記憶部１２３やマーケティング情報記憶部１２４等の記憶部１２０から各種情報を取得する。例えば、取得部１３１は、端末装置１０が検知した各種の情報を取得する。例えば、取得部１３１は、端末装置１０が検知した位置情報や加速度情報を取得する。
【００８２】
取得部１３１は、ユーザの位置情報を取得する。例えば、取得部１３１は、位置に関連付けられたマーケティングキャンペーンに関する情報を取得する。例えば、取得部１３１は、位置及び時間に関連付けられたマーケティングキャンペーンに関する情報を取得する。例えば、取得部１３１は、マーケティングキャンペーンに関連付けられた時間に関する情報を取得する。例えば、取得部１３１は、マーケティングキャンペーンに関連付けられた期間に関する情報を取得する。例えば、取得部１３１は、マーケティングキャンペーンに参加したとみなされたユーザの属性情報含むマーケティングキャンペーンに関する情報を取得する。生成部１３３は、属性情報に基づいて、評価情報を生成する。例えば、取得部１３１は、位置から所定の範囲内に位置したユーザの属性情報含むマーケティングキャンペーンに関する情報を取得する。例えば、取得部１３１は、マーケティングキャンペーンが対象とするユーザを示すターゲット情報を取得する。例えば、取得部１３１は、マーケティングキャンペーンに参加したとみなされたユーザのマーケティングキャンペーンに参加後の行動情報を取得する。例えば、取得部１３１は、イベントを含むマーケティングキャンペーンに関する情報を取得する。例えば、取得部１３１は、広告の掲示を含むマーケティングキャンペーンに関する情報を取得する。
【００８３】
図１の例では、取得部１３１は、イベントＭＣ１の開催期間（日時ｄｔ１０−ｄｔ２０）における各ユーザの位置情報を取得する。例えば、取得部１３１は、日時ｄｔ１１においてユーザＵ１が位置ＬＣ１１に位置することを示す情報を端末装置１０−１から取得する。例えば、取得部１３１は、日時ｄｔ１１においてユーザＵ１がイベントＭＣ１の範囲ＡＲ１内に位置することを示す位置ＬＣ１１を取得する。
【００８４】
例えば、取得部１３１は、日時ｄｔ１２においてユーザＵ２が位置ＬＣ１２に位置することを示す情報を端末装置１０−２から取得する。例えば、取得部１３１は、日時ｄｔ１２においてユーザＵ２がイベントＭＣ１の範囲ＡＲ１内に位置することを示す位置ＬＣ１２を取得する。例えば、取得部１３１は、日時ｄｔ１３においてユーザＵ３が位置ＬＣ１３に位置することを示す情報を端末装置１０−３から取得する。例えば、取得部１３１は、日時ｄｔ１３においてユーザＵ３がイベントＭＣ１の範囲ＡＲ１内に位置することを示す位置ＬＣ１３を取得する。
【００８５】
図１の例では、取得部１３１は、対象ユーザのマーケティングキャンペーンへの参加後の行動情報を取得する。例えば、取得部１３１は、イベントＭＣ１の対象ユーザのマーケティングキャンペーンへの参加後の行動情報を取得する。例えば、取得部１３１は、日時ｄｔ２１においてユーザＵ２がクエリ「Ｘ飲料」を用いた検索を行ったことを示す情報を端末装置１０−２から取得する。例えば、取得部１３１は、日時ｄｔ２１においてユーザＵ２がイベントＭＣ１の対象「Ｘ飲料」に関する行動を行ったことを示す行動情報を取得する。例えば、取得部１３１は、日時ｄｔ２２においてユーザＵ１が商品「Ｘ飲料」を購入したことを示す情報を取得する。例えば、取得部１３１は、日時ｄｔ２２においてユーザＵ１がイベントＭＣ１の対象「Ｘ飲料」に関する行動を行ったことを示す行動情報を取得する。
【００８６】
（抽出部１３２）
抽出部１３２は、各種情報を抽出する。例えば、抽出部１３２は、ユーザ情報記憶部１２１や行動情報記憶部１２２や位置情報記憶部１２３やマーケティング情報記憶部１２４等の記憶部１２０から各種情報を抽出する。
【００８７】
例えば、抽出部１３２は、取得部１３１により取得された情報から、所定の条件を満たす情報を抽出する。例えば、抽出部１３２は、マーケティング情報記憶部１２４からマーケティングキャンペーンに参加後のユーザに期待する行動を示す情報（期待行動）を抽出する。例えば、抽出部１３２は、期待行動に対応するユーザの行動情報を行動情報記憶部１２２から抽出する。例えば、抽出部１３２は、取得部１３１により取得された情報を用いて、所定の条件を満たす情報を収集する。
【００８８】
図１の例では、抽出部１３２は、ユーザＵ１を、イベントＭＣ１の対象ユーザとして集計する。例えば、抽出部１３２は、ユーザＵ２を、イベントＭＣ１の対象ユーザとして集計する。例えば、抽出部１３２は、ユーザＵ３を、イベントＭＣ１の対象ユーザとして集計する。例えば、抽出部１３２は、ユーザＵ２を、イベントＭＣ１の参加後に所定の行動を行った行動ユーザとして集計する。例えば、抽出部１３２は、ユーザＵ１を、イベントＭＣ１の行動ユーザとして集計する。
【００８９】
（生成部１３３）
生成部１３３は、各種情報を生成する。例えば、生成部１３３は、ユーザ情報記憶部１２１や行動情報記憶部１２２や位置情報記憶部１２３やマーケティング情報記憶部１２４等に記憶された情報から種々の情報を生成する。例えば、生成部１３３は、マーケティング情報記憶部１２４に示すような評価情報を生成する。例えば、生成部１３３は、抽出部１３２により抽出される情報に基づいて、評価情報を生成する。
【００９０】
例えば、生成部１３３は、マーケティングキャンペーンの位置及び時間に、位置情報及び当該位置情報が取得された時間が対応するユーザに関する情報に基づいて、マーケティングキャンペーンの評価を示す評価情報を生成する。例えば、生成部１３３は、取得部１３１により取得されたマーケティングキャンペーンに関する情報に基づくマーケティングキャンペーンに参加したとみなされたユーザに関する情報を用いて、マーケティングキャンペーンの評価を示す評価情報を生成する。例えば、生成部１３３は、マーケティングキャンペーンの前記時間に対応する時間において、マーケティングキャンペーンの位置に対応する位置に位置したユーザに関する情報に基づいて、評価情報を生成する。例えば、生成部１３３は、マーケティングキャンペーンの期間内において、マーケティングキャンペーンの位置に対応する位置に位置したユーザに関する情報に基づいて、評価情報を生成する。生成部１３３は、ターゲット情報と属性情報とに基づいて、評価情報を生成する。例えば、生成部１３３は、マーケティングキャンペーンに参加したとみなされたユーザの属性情報に基づいて、評価情報を生成する。例えば、生成部１３３は、位置から所定の範囲内に位置したユーザをマーケティングキャンペーンに参加したとみなされたユーザとして、評価情報を生成する。
【００９１】
生成部１３３は、マーケティングキャンペーンに参加したとみなされたユーザのマーケティングキャンペーンに参加後の行動情報に基づいて、評価情報を生成する。例えば、生成部１３３は、マーケティングキャンペーンに参加後のユーザに期待する行動を示す情報と、行動情報とに基づいて、評価情報を生成する。例えば、生成部１３３は、行動情報にマーケティングキャンペーンに関する行動が含まれるか否かに基づいて、評価情報を生成する。例えば、生成部１３３は、行動情報にマーケティングキャンペーンに関する検索行動が含まれるか否かに基づいて、評価情報を生成する。例えば、生成部１３３は、行動情報にマーケティングキャンペーンに関する商品の購入が含まれるか否かに基づいて、評価情報を生成する。例えば、生成部１３３は、行動情報にマーケティングキャンペーンに関するサービスの利用が含まれるか否かに基づいて、評価情報を生成する。
【００９２】
図１の例では、生成部１３３は、イベントＭＣ１の開催期間に集計されたイベントＭＣ１の対象ユーザの情報に基づいて、マーケティングキャンペーンＩＤ「ＭＣ１」により識別されるマーケティングキャンペーンの評価情報ＥＶ１−１を生成する。例えば、生成部１３３は、図１に示すようなターゲット情報ＴＧに基づいて、評価情報ＥＶ１−１を生成する。例えば、生成部１３３は、イベントＭＣ１の対象ユーザのうち、ターゲット「２０代から３０代の男性」を満たすユーザの割合を評価情報ＥＶ１−１として生成する。
【００９３】
例えば、生成部１３３は、イベントＭＣ１の対象ユーザがユーザＵ１〜Ｕ３の３人であるとした場合、イベントＭＣ１の対象ユーザのうち、イベントＭＣ１のターゲットとするユーザ（ユーザＵ１、Ｕ３）の割合を「０．６６（＝２／３）」と算出する。例えば、生成部１３３は、イベントＭＣ１の対象ユーザの総数と、イベントＭＣ１の対象ユーザのうち、イベントＭＣ１のターゲットとするユーザの割合を示す情報とを含む評価情報ＥＶ１−１を生成する。例えば、生成部１３３は、イベントＭＣ１の対象ユーザの総数「１０万人」と、イベントＭＣ１の対象ユーザのうち、イベントＭＣ１のターゲットとするユーザの割合「７０％」を示す情報とを含む評価情報ＥＶ１−１を生成する。
【００９４】
図１の例では、生成部１３３は、イベントＭＣ１の対象ユーザから取得された行動情報に基づいて、マーケティングキャンペーンＩＤ「ＭＣ１」により識別されるマーケティングキャンペーンの評価情報ＥＶ１−２を生成する。例えば、生成部１３３は、イベントＭＣ１の対象ユーザのうち、イベントＭＣ１の対象「Ｘ飲料」に関する行動を行った行動ユーザの割合を算出する。例えば、生成部１３３は、イベントＭＣ１の対象ユーザがユーザＵ１〜Ｕ３の３人であるとした場合、イベントＭＣ１の対象ユーザのうち、イベントＭＣ１の行動ユーザ（ユーザＵ１、Ｕ２）の割合を「０．６６（＝２／３）」と算出する。例えば、生成部１３３は、ターゲットとするユーザのみを対象とする場合、ユーザＵ１、Ｕ２の２人のうち、ユーザＵ１のみがイベントＭＣ１の行動ユーザであることを示す割合「０．５（＝１／２）」を算出する。
【００９５】
。例えば、生成部１３３は、イベントＭＣ１の対象ユーザの総数と、イベントＭＣ１の対象ユーザのうち、イベントＭＣ１の行動ユーザの割合を示す情報とを含む評価情報ＥＶ１−２を生成する。例えば、生成部１３３は、イベントＭＣ１の行動ユーザの総数「１万人」と、イベントＭＣ１の対象ユーザのうち、イベントＭＣ１の行動ユーザの割合「１０％」を示す情報とを含む評価情報ＥＶ１−２を生成する。
【００９６】
（提供部１３４）
提供部１３４は、種々の情報を提供する。例えば、提供部１３４は、端末装置１０等の外部装置に各種情報を提供する。例えば、提供部１３４は、マーケティング情報記憶部１２４に記憶された各マーケティングキャンペーンの評価情報を外部の情報処理装置へ提供する。例えば、提供部１３４は、各マーケティングキャンペーンの評価情報に基づく、分析結果を外部の情報処理装置へ提供する。例えば、提供部１３４は、生成部１３３により生成されたマーケティングキャンペーンの評価を示す評価情報を事業者装置２０へ提供する。例えば、提供部１３４は、マーケティングキャンペーンＩＤ「ＭＣ１」により識別されるマーケティングキャンペーンに関する評価情報を、マーケティングキャンペーンＩＤ「ＭＣ１」により識別されるマーケティングキャンペーンを実施する事業者装置２０へ提供する。
【００９７】
〔３．生成処理のフロー〕
次に、図８を用いて、実施形態に係る生成システム１による生成処理の手順について説明する。図８は、実施形態に係る生成処理の一例を示すフローチャートである。
【００９８】
図８に示すように、生成装置１００は、位置に関連付けられたマーケティングキャンペーンに関する情報を取得する（ステップＳ１０１）。例えば、生成装置１００は、位置及び時間に関連付けられたマーケティングキャンペーンに関する情報と、ユーザの位置情報とを取得する。図１の例では、生成装置１００は、図１の例では、生成装置１００は、イベントＭＣ１の開催期間（日時ｄｔ１０−ｄｔ２０）における各ユーザの位置情報を取得する。図１の例では、生成装置１００は、対象ユーザのマーケティングキャンペーンへの参加後の行動情報を取得する。
【００９９】
また、生成装置１００は、マーケティングキャンペーンの評価を示す評価情報を生成する（ステップＳ１０２）。例えば、生成装置１００は、マーケティングキャンペーンの位置及び時間に、位置情報及び当該位置情報が取得された時間が対応するユーザに関する情報に基づいて、マーケティングキャンペーンの評価を示す評価情報を生成する。図１の例では、生成装置１００は、イベントＭＣ１の開催期間に集計されたイベントＭＣ１の対象ユーザの情報に基づいて、マーケティングキャンペーンＩＤ「ＭＣ１」により識別されるマーケティングキャンペーンの評価情報ＥＶ１−１を生成する。図１の例では、生成装置１００は、イベントＭＣ１の対象ユーザから取得された行動情報に基づいて、マーケティングキャンペーンＩＤ「ＭＣ１」により識別されるマーケティングキャンペーンの評価情報ＥＶ１−２を生成する。
【０１００】
〔４．効果〕
上述してきたように、実施形態に係る生成装置１００は、取得部１３１と、生成部１３３とを有する。取得部１３１は、位置及び時間に関連付けられたマーケティングキャンペーンに関する情報と、ユーザの位置情報とを取得する。生成部１３３は、マーケティングキャンペーンの位置及び時間に、位置情報及び当該位置情報が取得された時間が対応するユーザに関する情報を用いて、マーケティングキャンペーンの評価を示す評価情報を生成する。
【０１０１】
このように、実施形態に係る生成装置１００は、位置に関連付けられたマーケティングキャンペーンに関する情報に基づくマーケティングキャンペーンに参加したとみなされたユーザに関する情報を用いて、マーケティングキャンペーンの評価を示す評価情報を生成することにより、所定のマーケティングキャンペーンを適切に評価することができる。
【０１０２】
また、実施形態に係る生成装置１００において、取得部１３１は、位置に関連付けられたマーケティングキャンペーンに関する情報を取得する。生成部１３３は、取得部１３１により取得されたマーケティングキャンペーンに関する情報に基づくマーケティングキャンペーンに参加したとみなされたユーザに関する情報を用いて、マーケティングキャンペーンの評価を示す評価情報を生成する。
【０１０３】
このように、実施形態に係る生成装置１００は、位置に関連付けられたマーケティングキャンペーンに関する情報に基づくマーケティングキャンペーンに参加したとみなされたユーザに関する情報を用いて、マーケティングキャンペーンの評価を示す評価情報を生成することにより、所定のマーケティングキャンペーンを適切に評価することができる。
【０１０４】
また、実施形態に係る生成装置１００において、取得部１３１は、マーケティングキャンペーンに関連付けられた時間に関する情報を取得する。生成部１３３は、マーケティングキャンペーンの時間に対応する時間において、マーケティングキャンペーンの位置に対応する位置に位置したユーザに関する情報に基づいて、評価情報を生成する。
【０１０５】
このように、実施形態に係る生成装置１００は、マーケティングキャンペーンの時間に対応する時間において、マーケティングキャンペーンの位置に対応する位置に位置したユーザに関する情報に基づいて、評価情報を生成することにより、所定のマーケティングキャンペーンを適切に評価することができる。
【０１０６】
また、実施形態に係る生成装置１００において、取得部１３１は、マーケティングキャンペーンに関連付けられた期間に関する情報を取得する。生成部１３３は、マーケティングキャンペーンの期間内において、マーケティングキャンペーンの位置に対応する位置に位置したユーザに関する情報に基づいて、評価情報を生成する。
【０１０７】
このように、実施形態に係る生成装置１００は、マーケティングキャンペーンの時間に対応する時間において、マーケティングキャンペーンの位置に対応する位置に位置したユーザに関する情報に基づいて、評価情報を生成することにより、所定のマーケティングキャンペーンを適切に評価することができる。
【０１０８】
また、実施形態に係る生成装置１００において、生成部１３３は、位置から所定の範囲内に位置したユーザをマーケティングキャンペーンに参加したとみなされたユーザとして、評価情報を生成する。
【０１０９】
このように、実施形態に係る生成装置１００は、位置から所定の範囲内に位置したユーザをマーケティングキャンペーンに参加したとみなされたユーザとして、評価情報を生成することにより、所定のマーケティングキャンペーンを適切に評価することができる。
【０１１０】
また、実施形態に係る生成装置１００において、生成部１３３は、マーケティングキャンペーンに参加したとみなされたユーザの属性情報に基づいて、評価情報を生成する。
【０１１１】
このように、実施形態に係る生成装置１００は、マーケティングキャンペーンに参加したとみなされたユーザの属性情報に基づいて、評価情報を生成することにより、所定のマーケティングキャンペーンを適切に評価することができる。
【０１１２】
また、実施形態に係る生成装置１００において、取得部１３１は、マーケティングキャンペーンが対象とするユーザを示すターゲット情報を取得する。生成部１３３は、ターゲット情報と属性情報とに基づいて、評価情報を生成する。
【０１１３】
このように、実施形態に係る生成装置１００は、マーケティングキャンペーンが対象とするユーザを示すターゲット情報と属性情報とに基づいて、評価情報を生成することにより、所定のマーケティングキャンペーンを適切に評価することができる。
【０１１４】
また、実施形態に係る生成装置１００において、取得部１３１は、マーケティングキャンペーンに参加したとみなされたユーザのマーケティングキャンペーンに参加後の行動情報を取得する。生成部１３３は、行動情報に基づいて、評価情報を生成する。
【０１１５】
このように、実施形態に係る生成装置１００は、マーケティングキャンペーンに参加したとみなされたユーザのマーケティングキャンペーンに参加後の行動情報に基づいて、評価情報を生成することにより、所定のマーケティングキャンペーンを適切に評価することができる。
【０１１６】
また、実施形態に係る生成装置１００において、生成部１３３は、マーケティングキャンペーンに参加後のユーザに期待する行動を示す情報と、行動情報とに基づいて、評価情報を生成する。
【０１１７】
このように、実施形態に係る生成装置１００は、マーケティングキャンペーンに参加後のユーザに期待する行動を示す情報と、行動情報とに基づいて、評価情報を生成することにより、所定のマーケティングキャンペーンを適切に評価することができる。
【０１１８】
また、実施形態に係る生成装置１００において、生成部１３３は、行動情報にマーケティングキャンペーンに関する行動が含まれるか否かに基づいて、評価情報を生成する。
【０１１９】
このように、実施形態に係る生成装置１００は、行動情報にマーケティングキャンペーンに関する行動が含まれるか否かに基づいて、評価情報を生成することにより、所定のマーケティングキャンペーンを適切に評価することができる。
【０１２０】
また、実施形態に係る生成装置１００において、生成部１３３は、行動情報にマーケティングキャンペーンに関する検索行動が含まれるか否かに基づいて、評価情報を生成する。
【０１２１】
このように、実施形態に係る生成装置１００は、行動情報にマーケティングキャンペーンに関する検索行動が含まれるか否かに基づいて、評価情報を生成することにより、所定のマーケティングキャンペーンを適切に評価することができる。
【０１２２】
また、実施形態に係る生成装置１００において、生成部１３３は、行動情報にマーケティングキャンペーンに関する商品の購入が含まれるか否かに基づいて、評価情報を生成する。
【０１２３】
このように、実施形態に係る生成装置１００は、行動情報にマーケティングキャンペーンに関する商品の購入が含まれるか否かに基づいて、評価情報を生成することにより、所定のマーケティングキャンペーンを適切に評価することができる。
【０１２４】
また、実施形態に係る生成装置１００において、生成部１３３は、行動情報にマーケティングキャンペーンに関するサービスの利用が含まれるか否かに基づいて、評価情報を生成する。
【０１２５】
このように、実施形態に係る生成装置１００は、行動情報にマーケティングキャンペーンに関するサービスの利用が含まれるか否かに基づいて、評価情報を生成することにより、所定のマーケティングキャンペーンを適切に評価することができる。
【０１２６】
また、実施形態に係る生成装置１００において、取得部１３１は、イベントを含むマーケティングキャンペーンに関する情報を取得する。
【０１２７】
このように、実施形態に係る生成装置１００は、イベントを含むマーケティングキャンペーンに関する情報を取得することにより、所定のマーケティングキャンペーンを適切に評価することができる。
【０１２８】
また、実施形態に係る生成装置１００において、取得部１３１は、広告の掲示を含むマーケティングキャンペーンに関する情報を取得する。
【０１２９】
このように、実施形態に係る生成装置１００は、広告の掲示を含むマーケティングキャンペーンに関する情報を取得することにより、所定のマーケティングキャンペーンを適切に評価することができる。
【０１３０】
〔５．ハードウェア構成〕
上述してきた実施形態に係る生成装置１００は、例えば図９に示すような構成のコンピュータ１０００によって実現される。図９は、生成装置の機能を実現するコンピュータの一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３１】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３２】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１３３】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１３４】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３５】
例えば、コンピュータ１０００が実施形態に係る生成装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１３６】
以上、本願の実施形態のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１３７】
〔６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３９】
また、上述してきた各実施形態に記載された各処理は、処理内容を矛盾させない範囲で適宜組み合わせることが可能である。
【０１４０】
また、上述してきた「部（section、module、unit）」は、「手段」や「回路」などに読み替えることができる。例えば、取得部は、取得手段や取得回路に読み替えることができる。
【符号の説明】
【０１４１】
１  生成システム
１００  生成装置
１２１  ユーザ情報記憶部
１２２  行動情報記憶部
１２３  位置情報記憶部
１２４  マーケティング情報記憶部
１３０  制御部
１３１  取得部
１３２  抽出部
１３３  生成部
１３４  提供部
１０  端末装置
Ｎ  ネットワーク
【図１】
2019032717.tif 000003
【図２】
2019032717.tif 000004
【図３】
2019032717.tif 000005
【図４】
2019032717.tif 000006
【図５】
2019032717.tif 000007
【図６】
2019032717.tif 000008
【図７】
2019032717.tif 000009
【図８】
2019032717.tif 000010
【図９】
2019032717.tif 000011